Podtech/llm-jp-corpus-v4-ja_patent huggingface dataset:
(57)【要約】【課題】角柱で凹凸の無い水平方向の角柱突っ張り棒を提供する。【解決手段】木、樹脂又は金属の角柱１の片方の小口にアジャスター機能を有する材料２を付け、他方の小口に滑り止め機能を有する材料３を付けることを特徴とする。【選択図】図１
2014213190.tif 000002
【特許請求の範囲】
【請求項１】
（イ）  木、樹脂又は金属の角柱１の片方の小口にアジャスター機能を有する材料２を付ける。
（ロ）  木、樹脂又は金属の角柱１のもう片方の小口に滑り止め機能を有した材料３を付ける。
以上の構成によりなる角型突っ張り棒。
【発明の詳細な説明】
【技術分野】
【０００１】この発明は、水平方向の角型突っ張り棒に関するものである。
【背景技術】
【０００２】従来、水平方向で使用する突っ張り棒は円柱形の物しかなかった。
【発明の開示】
【発明が解決しようとする課題】
【０００３】これまでの物は、次のような欠点があった。
（イ）  円柱形の突っ張り棒は途中、伸縮するパイプの長さを固定するためのツマミが飛び出しており、その部分に物を置くことが出来ない。
（ロ）  円柱形の突っ張り棒は、長さが変えられないパイプの中に伸縮させるための一回り細いパイプが仕込まれているので伸ばした時に段差が出来る。
（ハ）  部屋のインテリアデザインを考えていく中で、丸パイプではイメージが崩れる事がある。
本発明は、以上のような欠点をなくすためになされたものである。
【課題を解決するための手段】
【０００４】木、樹脂又は金属の角柱１の片方の小口にアジャスター機能を有する材料２を付ける。その反対側に滑り止め機能を有した材料３を付ける。
本発明は、以上の構成よりなる角型突っ張り棒である。
【発明の効果】
【０００５】（イ）  今までの突っ張り棒は足りない長さを伸ばすことにより全幅に合わせていくやり方であったが、今回の発明品は元々の長さを切り全幅を合わせていく方法をとっているので、途中に突起物が出てくることは無い。
（ロ）  （イ）と同様、元々の長さを縮めていくので段差となる物は出ない。
（ハ）  角型ですっきりした形状なので、どのような部屋のデザインにも合わせる事が出来る。
【発明を実施するための最良の形態】
【０００６】以下、本発明を実施するための最良の形態について説明する。
木、樹脂又は金属の角柱１の片方小口にアジャスター機能を有する材料２を付け、その反対側を設置する全幅に対し、マイナス１０ｍｍ程の長さに切断する。切断した側の小口に滑り止め機能の付いた材料３を付ける。
水平方向に突っ張り棒を付けたい高さ、位置に合わせ、滑り止め機能の付いた材料３を壁に押し当て、他方のアジャスター機能を有する材料２を隙間が無くなる様伸ばし固定する。
【図面の簡単な説明】
【０００７】
【図１】本発明の斜視図である。
【符号の説明】
【０００８】１  木、樹脂又は金属の角柱
２  アジャスター機能を有する材料
３  滑り止め機能を有する材料
【図１】
2014213190.tif 000003
(57)【要約】【課題】従来は、睡眠のためベットなどの寝具を使って就寝をしたとき、就寝中にかく汗等により寝具が湿気ていたが、とくにベットマット等は大きく重いため換気による自然乾燥の湿気対策でしかできなかった。【解決手段】  これまで、睡眠のためにベット等を使って就寝したとき、就寝中に体から汗が発せられベットマットや寝具が汗で湿気ても、新たにベットマット内に組み込まれた防水のヒーター線をタイマー付きコントローラーで時間や温度設定することで熱せられ、ヒーター線が熱くなることでベットマットや寝具などを乾燥させることが出来、毎日快適な湿気対策が提供できるとともに、冬などには寝具の暖房機としても提供でき使用することが出来る。【選択図】図１
2014213188.tif 000002
【特許請求の範囲】
【請求項１】
ベット等を使って睡眠をしたとき、就寝中に体より発せられる汗によりベットマット等の寝具が汗による湿気を吸い込み、湿気をベットマットや寝具内にこもらせる状況になるため、新たにベットマット内部のキルト層内に防水のヒーター線を組み込むことで、ベットを使用しない時間帯にタイマー付きコントローラーをセットしヒーター線に通電する事で、キルト層内に組み込まれたヒーター線が熱せられベットマット内や他の寝具を、とくにベットマットを移動しなくても乾燥することが出来る、そのことで次の就寝時に乾燥された快適な寝具として使用することが出来る、防水のヒーター線が組み込まれた乾燥機能装置付きベットマット。
【発明の詳細な説明】
【技術分野】
【０００１】この発明は、今まではベットを使用したとき、就寝中に体から発せられる汗によりベットマット内部に湿気がこもってしまう状況であったため、ベットマット内部に新たに防水のヒーター線を組み込み、日中などの使用しないときに通電することでベットマット内部から熱する熱で、ベットマットのキルト層等を乾燥させることができ、ベットマット内部にしみ込んだ汗を防水のヒーター線の熱で乾燥させる湿気対策として使用できる、防水のヒーターを組み込んだ乾燥機能装置付きベットマット。
【背景技術】
【０００２】現在、ベットを使用しベットマットで就寝したとき、就寝中体から発する汗によりベットマット等が湿気る事があったので、ベットマットを日干しすることなく乾燥出来るとが望まれていた。
【発明の概要】
【発明が解決しようとする課題】
【０００３】これまでは、次のような欠点があった、これまでは就寝のためにベットを使用したとき、就寝中に体から発する汗でベットマットが湿気る事があったので、ベットマットのキルト層等に防水のヒーター線を新たに組み込み、ベットを使用しないときに通電使用することで、ベットマット内部から熱せられその熱でベットマットを乾燥させる湿気対策として考えられたものである。
【課題を解決する為の手段】
【０００４】これまでのように、ベットを使って就寝したとき就寝中に汗をかいたことでベットマット内部が湿気ても、翌日のベットを使用しないときに、新たにベットマットに組み込んだ防水のヒーター線に通電しタイマーをセットし使用することで、通電したヒーターの熱でベットマットを乾燥させ次のベット使用時には、ベットマットが乾燥された清潔なベットマットとして使用できるようにと、防水のヒーター線によるベットマット乾燥装置をベットマット内部に新たに組み込んだ乾燥機能装置付きベットマット。
【発明の効果】
【０００５】睡眠のためにベットを使って就寝をし、就寝中に汗をかくことでベットマットを湿気させても、就寝後、ベットマット内に組み込まれた防水のヒーター線を使用することでベットマットが乾燥し、次の就寝時にはベットマットが乾燥した快適な寝具として使用できるようにと、ベットマットに乾燥機能装置を組み込むことでベットマットが乾燥できるサービスとして提供し使用することが出来る。
【図面の簡単な説明】
【０００６】
【図１】  ベットの全体図
【図２】  ベットマットの立面図
【図３】  ベットの断面詳細図
【発明を実施する為の形態】
【０００７】以上、本願発明の実施の形態について説明する。
睡眠のためにベットを使用して就寝したとき、就寝中に体が汗をかき発せられた汗が、ベットマットや寝具に湿気をこもらせるため、ベットマットのキルト層内等に防水のヒーター線を組み込み、ベットを使用しない時間帯に、タイマー付きコントローラーで通電しヒーター線が熱せられることで、ベットマット内の湿気を熱で乾燥させられるため、毎日快適な湿気対策としてベットマットを移動することなくベット上で乾燥出来るサービスとして使用することが提供できる。
【符号の説明】
【０００８】▲１▼ベットフレーム
▲２▼ベットマット
▲３▼ベンチレーター
▲４▼コイルスプリング
▲５▼上面キルト層
▲６▼下面キルト層
▲７▼防水のヒーター線
▲８▼コード
▲９▼マットプラグ
▲１０▼コネクター
▲１１▼タイマー付きコントローラー
▲１２▼電源プラグ
▲１３▼上面キルト層内防水のヒーター線
【図１】
2014213188.tif 000003
【図２】
2014213188.tif 000004
【図３】
2014213188.tif 000005
(57)【要約】      （修正有）【課題】特に、使い終わったトイレットペーパーから出た芯を収納することにより、床に、芯が散乱しているという状況をなくすことができる、トイレットペーパーの芯入れを提供する。【解決手段】本体１に、使い終わったトイレットペーパーの芯を入れ、支えることのできる構造２を設ける。構造２は、本体１に固定しておくが、力を加えると動いて、芯がそれに支えられるようになっていてもよい。本体１の底面は、広い範囲で空洞になっているのが好ましい。芯以外のものが入れられた場合、下に落とすことができる。【選択図】図１
2014213200.tif 000002
【特許請求の範囲】
【請求項１】
特に使い終わったトイレットペーパーから出た芯を、本体の中に入れ固定し収納しておくことができることを特徴とした専用の入れ物であるトイレットペーパーの芯入れ。
本体の中に、芯を支えておくことのできる構造を設ける。
入れた芯を固定しておくことのできる構造。
【請求項２】
特に使い終わったトイレットペーパーから出た芯を、本体の中に入れ固定し収納しておくことができることを特徴とした専用の入れ物であるトイレットペーパーの芯入れ。
本体の中に、支えておくことのできる構造を設ける。
入れた芯を固定しておくことのできる構造。
芯を支える物は、力を加えると動き、それに支えられて固定する構造。
【請求項３】
特に使い終わったトイレットペーパーから出た芯を、本体の中に入れ固定し収納しておくことができることを特徴とした専用の入れ物であるトイレットペーパーの芯入れ。
本体の中に、芯を支えておくことのできる構造を設ける。
入れた芯を固定しておくことのできる構造。
使用する本体の底面は、広い範囲が空洞になっている。
理由は、火災や異物混入の原因を防止するためである。
使用目的以外の物、異物、火気、ゴミなどが上から入れられても下に落ちる構造。
【発明の詳細な説明】
【技術分野】
【０００１】  この発明は、特にトイレットペーパーの芯を収納するものである。
【背景技術】
【０００２】  従来、トイレには使い終わった後のトイレットペーパーの芯を収納する専用の入れ物はなかった。
【発明の概要】
【発明が解決しようとする課題】
【０００３】  これは、次のような欠点があった。
従来、使い終わったトイレットペーパーから出た芯を収納する専用の物がないために、床に使い終わった芯が散乱している状況にあった。
本発明は、以下のような欠点をなくすためになされたものである。
【課題を解決するための手段】
【０００４】（１）本体に
（２）芯を支えておくことのできる構造を設ける。
それを、設置して使用する。
本発明は、以上の構成よりなるものである。
【発明の効果】
【０００５】  使い終わったトイレットペーパーから出た芯を収納することにより、床に無数の芯が散乱しているという状況をなくすことができトイレが綺麗になる。
これを、見えやすい場所に置くことで、もしそこに芯が入っていれば、トイレットペーパーがなくなっていることを瞬時に確認、認識でき、早めに紙の補充や交換などの対処ができる。
後で紙がなかったという状況を未然に防ぐことができる。
【図面の簡単な説明】
【０００６】
【図１】本発明の斜視図である。
【図２】本発明の斜面図である。
【図３】本発明の正面図である。
【図４】本発明の側面図である。
【発明を実施するための形態】
【０００７】  以下本発明を実施するための最良形態について説明する。
（１）本体の中に
（２）芯を支えておくことのできる構造を設ける。
入れた芯を固定しておくことのできる構造。
または、芯を支える物は、力を加えると動き、それに支えられて固定する構造も好ましい。
使用する本体の底面は、広い範囲が空洞になっていることが好ましい。
理由は、火災や異物混入の原因を防止するためである。
使用目的以外の物、異物、火気、ゴミなどが上から入れられても下に落ちる構造。
または、異物、灰皿、ゴミを入れるものではないと、認識できる構造が安全性上好ましい。
それを、トイレットペーパーホルダに一組み合わせたり、好きな場所、角度に設置して使用する。本発明は、以上の構造である。
これを、使用する時は、使い終わったトイレットペーパーから出た芯を本体の中に入れ収納すれば良い。
【実施例】
【０００８】  世界中の全てのトイレに設置できる。
【産業上の利用可能性】
【０００９】  世界中の全てのトイレに設置できる。
火災、異物混入の元になる原因にほぼならない構造ため、安全性にも優れ、公共、施設、店舗、家庭などのあらゆる場所で設置可能である。  また消臭剤入れや小物入れなどにも活用できる。
この発明を、我が国、日本から発信し、世界中のトイレの数だけ設置できることとなれば、産業上利用可能、莫大な国益、経済の活性化に繋がることができる。
【符号の説明】
【００１０】（１）本体
（２）支える物、又は場所
【図１】
2014213200.tif 000003
【図２】
2014213200.tif 000004
【図３】
2014213200.tif 000005
【図４】
2014213200.tif 000006
(57)【要約】【課題】安全に使える爪削り器に関するものである。【解決手段】スリット１は，円筒形状ハウジング部２上面に設けられ、該円筒形状ハウジング部２は，ハウジング６とジィンとし、該ハウジング６内部には，モーター５と円盤ヤスリ部３が回転軸４でジョイントされ、前記モーター５の動力源として電池７及びＯＮ／ＯＦＦスイッチ８が設けられ収容している。又、円筒形状ハウジング部２上面に設けたスリット１を無段階で動作する機構は、ガイドピン９をハウジング６側面外径に設け、前記円筒部２側面外径に螺旋スライド溝１０が設け，当該ハウジング６と円筒形状ハウジング部２をジョイント、円筒形状ハウジング部２を手動で任意の位置に回転移動し、円筒形状ハウジング部２上面に設けたスリット１と円盤ヤスリ３のギャップ調整をする。【選択図】図２
2014213194.tif 000002
【特許請求の範囲】
【請求項１】
伸びた爪を切らずにヤスリで削る爪削り器であって、円盤上部をヤスリとした円盤ヤスリと円盤ヤスリ裏側に一体形成され垂直に伸びるシャフトはモーターに接続され回転するよう構成されており、当該円盤ヤスリ部とモーターと電池を収容するハウジングは個別に形成され、爪を削る円盤ヤスリ部を覆うハウジングは円筒形状でモーターと電池を収容するハウジングとはそれぞれ途中でジョイントされ、円盤ヤスリ部を覆う円筒形状ハウジング部の先端部には爪を差込み固定する為のスリットが設けられ、且つ当該円盤ヤスリ部を覆う円筒形状ハウジング部は円盤ヤスリ面へ接近及び遠ざかる等、可動可能な構造を前記ハウジングと形成したことを特徴とした爪削り器。
【発明の詳細な説明】
【技術分野】
【０００１】本発明は、伸びた爪を従来の爪切り等で切るのではなく、ヤスリで削って短くすることを目的とした機器に関するものである。
【背景技術】
【０００２】従来から伸びた爪はテコの原理を利用したタイプの爪切り、及びニッパーやヤットコ、ハサミ等で爪を切るのが一般的であった。
【発明の概要】
【発明が解決しようとする課題】
【０００３】前記した爪切りの道具は現在でも多く使用されているが、これらの爪切りはどれも老若男女を問わず誰もが安全に扱えるとは云い難く、特に高齢者や子供にとっては危なくもあり必ずしも使い易いとはいえなかった。
【課題を解決する手段】
【０００４】本発明は伸びた爪を切るのではなく、円盤上面をヤスリ構造とした円盤ヤスリ部を覆う円筒形状ハウジング部に設けた爪を差込み固定するスリットへ爪先を差し込み、モーターにより回転する円盤ヤスリ部に接触させさせることにより爪を短く削ることが出来る、更に本発明においては爪をしっかりと固定すると同時に削る量を容易に調節することで任意の爪の長さが簡単に得られるよう円筒形状ハウジング部と、電池とモーターを合わせた動力部を収容するハウジングとはジョイントされてあるが、該ジョイント部分に移動機構を設けることで爪先と円盤ヤスリ部との距離を可変させ、爪の削る量を調整出来るようにし目的を達成できるように構成してある。
【発明の効果】
【０００５】爪の削り具合を微妙に調節することが可能で、老若男女を問わず誰もが安全に扱うことが出来る。
【０００６】爪削り器の円盤ヤスリ、爪固定用スリット、及びモーター、電池を含めた構成部品の全てがハウジングで覆われ、全体のサイズが手のひらに収まる程度の大きさとしたことで扱いやすい。
【図面の簡単な説明】
【０００７】
【図１】本発明爪削り器の平面図である。
【図２】本発明爪削り器のＡＡ断面図である。
【図３】本発明の爪削り器を使用した実施例図である。
【図４】本発明の爪削り器スリット部とヤスリ部の深さを変えた実施例図である。
【発明を実施するための形態】
【０００８】本発明の爪削り器は、伸びた爪を切るのではなく、円盤上面をヤスリ構造とした円盤ヤスリ部を覆う円筒形状ハウジング部に設けた爪保持用スリットへ、爪先を差し込み、爪をしっかりと固定すると共に、該円筒形状ハウジング部とハウジングジョイント部分に設けた移動機構により、円盤ヤスリ部に接触させさた爪を適宜に削ることを実現している。
【実施例】
【０００９】本発明の爪削り器の実施例を図１〜図３によって説明する。
スリット１は，円筒形状ハウジング部２上面に設けられ、該円筒形状ハウジング部２は，ハウジング６とジョイントし、該ハウジング６内部には，モーター５と円盤ヤスリ部３が回転軸４でジョイントされ，前記モーター５の動力源として電池７及びＯＮ／ＯＦＦスイッチ８が設けられ収容されている。【００１０】又円筒形状ハウジング部２上面に設けたスリット１をわずかに回転させることにより垂直に無段階で動作する機構は、ガイドピン９をハウジング６側面外径に設け、前記円筒形状ハウジング部２側面外径に螺旋スライド溝１０が設けられ，当該ハウジング６と円筒形状ハウジング部２がジョイントする事により、円筒形状ハウジング部２を手動で任意の位置に回転移動し、円筒形状ハウジング部２上面に設けたスリット１と円盤ヤスリ３のギャップ調整を可能にしている。【００１１】爪削りは、円筒形状ハウジング部２を手動で任意の位置に回転移動し、爪１１の削りたい位置に合わせハウジング６に設けたＯＮ／ＯＦＦスイッチ８をＯＮにし、前記円盤ヤスリ部３を回転させ爪１１をスリット１挿入し、円盤ヤスリ部３に接触させ、ハウジング６を操作し爪１１を削る。
【符号の説明】
【００１２】１：スリット
２：円筒形状ハウジング部
３：円盤ヤスリ部
４：回転軸
５：モーター
６：ハウジング
７：電池
８：ＯＮ／ＯＦＦスイッチ
９：ガイドピン
１０：螺旋スライド溝
１１：爪
【図１】
2014213194.tif 000003
【図２】
2014213194.tif 000004
【図３】
2014213194.tif 000005
【図４】
2014213194.tif 000006
(57)【要約】      （修正有）【課題】調理の製造の仕事に携わる人は、衛生面から三角巾や帽子をかぶって作業をするため、汗をかき、ムレてしまい、三角巾や帽子を取ると、臭いがしてイヤになっていた。また、髪の毛がぺたーっとペッタンコになるのがイヤだった。そのことを長年悩んできて、それを解消するために工夫した、髪の毛の保護具を提供する。【解決手段】本体１の内側全体にブラシ２を設け、ムレ防止の通気穴４を設けて、前後にズレ防止のマジックテープ（登録商標）５を設け、簡単にリバース可能としたことを特徴とする頭皮を刺激する健康器具。【選択図】図１
2014213198.tif 000002
【特許請求の範囲】
【請求項１】
本体（１）の内側全体にブラシ（２）を設け、ムレ防止の通気穴（４）を設けて、前後にズレ防止のマジックテープ（登録商標）（５）を設け、上面全体は通気性のあるメッシュ（６）を使用し、本体の外周部（７）は固めのシリコンを材料とし、簡単にリバース可能としたことを特徴とする頭皮を刺激する健康器具。
【発明の詳細な説明】
【技術分野】
【０００１】  本発明は、たとえば、調理の製造の仕事に携わる人は、衛生面から三角巾や帽子をかぶって作業をするため、汗をかき、ムレてしまい、三角巾や帽子を取ると、臭いがしてイヤになっていた。
また、髪の毛がぺたーっとペッタンコになるのがイヤだった。
そのことを長年悩んできて、それを解消するために工夫した、髪の毛の保護具に関するものである。
【背景技術】
【０００２】  従来、髪の毛の保護具としての専用の防止グッズがないため、一時的に、髪の毛をヘアーカーラーで巻いていた。
三角巾をしていたが、髪の毛が引っ張られてしまうことや、ムレるため、髪の毛が抜けやすくなっていた。
髪の毛薄くなっていくことが気になっていたが、我慢して仕事をしていた。
【先行技術文献】
【特許文献】
【０００３】
【特許文献１】  特開２０１１−１４３２１８号公報
【特許文献２】  特開２００９−４５１８８号公報
【発明の概要】
【発明が解決しようとする課題】
【０００４】  そのため、次のような問題点があった。
（イ）三角巾を直接かぶる場合、髪の毛がペッタンコになっていた。
（ロ）三角巾を直接かぶる場合、髪の毛が汗でムレていた。
（ハ）三角巾を直接かぶる場合、髪の毛が汗でにおっていた。
本発明は、これらの問題点を解決するためになされたものである。
【課題を解決するための手段】
【０００５】  上記問題を解決するため本発明は、本体（１）の内側全体にブラシ（２）を設け、ムレ防止の通気穴（４）を設け、前後にズレ防止のマジックテープ（登録商標）（５）を設け、簡単にリバース可能とした。
本発明は、以上の構成よりなる髪の毛の保護具。
【発明の効果】
【０００６】（イ）髪の毛がぺたーっとすることを防止できる。
（ロ）髪の毛のムレを防止できる。
（ハ）髪の毛が臭うことを防止できる。
（ニ）髪の毛の身だしなみと、頭皮の刺激による健康効果がある。
（ホ）頭部の引き締めのツボ押し効果がある。
【図面の簡単な説明】
【０００７】
【図１】  本発明の本体を上から見た平面図である。
【図２】  本発明の本体を下から見た底面図である。
【図３】  本発明の本体の側面図である。
【図４】  本発明の使用状態を示した説明図である。
【発明を実施するための形態】
【０００８】  以下に、本発明を実施するための形態について説明する。
上記問題を解決するため本発明は、
柔らかなシリコンを材料として使用し、柔らかなシリコン製の本体（１）は、湾曲形で前髪から後頭部までの大きさで、本体（１）の内側全体にブラシ（２）を設け、ムレ防止の通気穴（４）を設け、前後にズレ防止のマジックテープ（登録商標）（５）を設け、上面全体は通気性の有るメッシュ（６）を使用し、本体の外周部（７）は固めのシリコンを材料とし、簡単にリバース可能とした。
本発明は以上の構成よりなる。
本発明の使い方を説明する。
頭の上に乗せて三角巾や帽子をかぶる。
なお、別の用途として、風呂あがりに顔の手入れのときに化粧水やクリームなどをぬったあと、髪の毛ペッタンコナシを頭に乗せて、指で軽く前後に動かして頭皮をマッサージすることもできる。
健康面の効果もある。
頭の中心のツボ押しのときは、鼻から軽く息を吸い、口からゆっくりと息を吐く息を吐くときに両手の指３本で軽くツボを押していく、以上を数回繰り返す。
【符号の説明】
【０００９】１  本体
２  ブラシ
３  ツボ押し部
４  空気穴
５  マジックテープ（登録商標）
６  本体の上面部
７  本体の外周部
【図１】
2014213198.tif 000003
【図２】
2014213198.tif 000004
【図３】
2014213198.tif 000005
【図４】
2014213198.tif 000006
(57)【要約】【課題】重い・大きいキャリーバッグを持ち上げて階段を昇り降りするのは大変な労力を要していた。  本発明は、キャタピラー式で階段の昇り降りが楽にスムーズに移動出来るキャリーバッグを提供する。【解決手段】キャリーバッグにキャタピラーと、それにつながる回転軸・ハンドルを設け下部に補助車輪を設けた事を特徴とする段スルーバッグ。【選択図】図１
2014213192.tif 000002
【特許請求の範囲】
【請求項１】
バツグ本体の正面手前側の下部の左右にキャタピラーが設置してあり、これを覆うカバーには上部に取っ手を設け、カバーの左右は本体にかぶさる形で湾曲し、その両端はバッグ本体の左右の側面手前側に設けてあるカバーガイドレール用の溝に嵌っており、カバーの取っ手を引き上げると、カバーは溝に沿ってスライドしキャタピラーが現れ、バッグ本体の上部は従来のけん引ハンドルの他に天板からは、これを貫通するもう１本のハンドルが露出しており、これはキャタピラーハンドルであって、ラセン回転軸を介してキャタピラーにつながっており、このキャタピラーハンドルを引き上げる事により、収納されていたキャタピラーが４５度回転して露出し、キャタピラーが使用可能な状態になり、バッグ本体の下部の手前側の角には補助車輪を左右２個設けてある。
【発明の詳細な説明】
【技術分野】
【０００１】  本発明は、キャタピラーを備えたキャリーバッグに関するものである。
【背景技術】
【０００２】  従来キャリーバッグを持って階段を昇り降りするときは、けん引ハンドルを収納し、取っ手で持ち上げて移動していた。
【発明の概要】
【発明が解決しようとする課題】
【０００３】  重いキャリーバッグ・大きいキャリーバッグを持ち上げ階段を昇り降りするのは、かなりの労力を要していた。
本発明は、以上の問題点を解決するためになされたものである。
【課題を解決するための手段】
【０００４】  キャリーバッグ本体の底面四隅にキャスターを有し、上部からは伸縮する取っ手ハンドルが正面手前側に設けてあるような通常のキャリーバッグにおいて、バッグ本体の正面手前側の下部の左右にキャタピラーが設置してあり、これを覆うカバーには上部に取っ手を設け、カバーの左右は本体にかぶさる形で湾曲し、その両端はバッグ本体の左右の側面手前側に設けてあるカバーガイドレール用の溝に嵌っており、カバーの取っ手を引き上げると、カバーは溝に沿ってスライドしキャタピラーが現れ、バッグ本体の上部は従来のけん引ハンドルの他に天板からは、これを貫通するもう一本のハンドルが露出しており、これはキャタピラーハンドルであってラセン回転軸を介してキャタピラーにつながっており、このキャタピラーハンドルを引き上げる事により、収納されていたキャタピラーが４５度回転して露出し、キャタピラーが使用可能な状態になり、バッグ本体の下部の手前側の角には補助車輪を左右２個設けてある。
以上の構成よりなる段スルーバッグ。
【発明の効果】
【０００５】  昇り降りの階段のその場でカバーの取っ手を引き上げ、次にキャタピラーハンドルを引き上げるだけで楽にスムーズに移動出来る、キャリーバッグにキャタピラーと補助車輪が設けてあるので長い階段であろうとも肉体的苦痛を感じる事なく楽に運ぶ事が出来る、降りるときは取っ手ハンドルをつかまえているだけで良い、キャタピラーがハンドル操作一つでキャリーバッグ本体に収納されるので邪魔にならない、キャタピラーにはカバーが付いているので危険がなく衣服も汚れる心配がない。
【図面の簡単な説明】
【０００６】
【図１】本発明をカバーとバッグ本体で隠れている部分の構造が見える様に表した斜視図
【図２】本発明の使用可能な状態を示す斜視図
【発明を実施するための形態】
【０００７】  以下、本発明の実施の形態を説明する。
キャリーバッグ本体（１）の正面手前側の下部の左右にキャタピラー（８）が設置してあり、これを覆うカバー（６）には上部に取っ手（５）を設け、カバーの左右は本体にかぶさる形で湾曲し、その両端はバッグ本体の左右の側面手前側に設けてあるカバーガイドレール用の溝（１０）に嵌っており、カバーの取っ手（５）を引き上げるとカバーは溝（１０）に沿ってスライドし、キャタピラー（８）が現れ、バッグ本体の上部は従来のけん引ハンドル（４）の他に天板（２）からは、これを貫通するもう一本のハンドルが露出しており、これはキャタピラーハンドル（３）であってラセン回転軸（７）を介してキャタピラー（８）につながっており、このキャタピラーハンドル（３）を引き上げる事により、収納されていたキャタピラー（８）が４５度回転して露出し、キャタピラー（８）が使用可能な状態になり、バッグ本体（１）の下部の手前側の角には補助車輪（９）を左右２個設けてある。
尚、補助車輪（９）はキャタピラー（８）の左右それぞれの外側に設置してもよい。
本発明は以上のような構造である。
本発明を使用して階段を昇り降りする時は、先ずカバーの取っ手（５）でカバー（６）を引き上げるとキャタピラー（８）が現れ、次にキャタピラーハンドル（３）を引き上げるとラセン回転軸（７）を介してキャタピラー（８）が４５度回転して露出し、階段を一段ごとにキャタピラー（８）が接地し、続いて補助車輪（９）が接地して昇っていくので、持ち上げるしんどさもなく労力は大幅に軽減される、降りる時はけん引ハンドル（４）をつかまえているだけで良い。
【符号の説明】
【０００８】１キャリーバッグ本体、２天板、３キャタピラーハンドル、４けん引ハンドル、５カバーの取っ手、６カバー、７ラセン回転軸、８キャタピラー、９補助車輪、１０カバーガイドレールの溝、１１カバーの補助車輪のための切れ目、
【図１】
2014213192.tif 000003
【図２】
2014213192.tif 000004
(57)【要約】      （修正有）【課題】コップの置き方は、飲み口を上にするか、下にするかどちらかになる。飲み口を上にして置いた状態では、コップ内にほこりが入ってしまう。飲み口を下にして置いた状態では、飲み口部分が全て平面に接触してしまう為、とても不衛生である。コップやグラス等の飲み物容器の飲み口部を浮かし、衛生に置くためのコップを提供する。【解決手段】コップ１やグラス等の飲み物容器の飲み口周縁日に複数の突起体２を等間隔に設け、飲み口部を浮かせる。【選択図】図２
2014213197.tif 000002
【特許請求の範囲】
【請求項１】
コップやグラス等の飲み物容器の飲み口周縁部に複数の突起体を設け、飲み口部を浮かせる。
【発明の詳細な説明】
【技術分野】
【０００１】    本発明は、コップやグラスの飲み口を直に食器棚やテーブルの平面に置くのではなく、コップ飲み口部分を浮かせて置くものである。
【背景技術】
【０００２】    従来、コップやグラスを逆さまに置く状態は、飲み口が平面に接触しているため不衛生である。
【発明の概要】
【発明が解決しようとする課題】
【０００３】    コップやグラスの置き方は、飲み口を上にするか、下にするかどちらになる。
飲み口を上にして置いた状態では、コップに内にほこりが入り、飲み口を下にして置いた状態では、飲み口部分が平面に全て接触してしまう為、とても不衛生である。
【課題を解決するための手段】
【０００４】    コップの飲み口の周縁部分に複数の突起体を固定し、飲み口部分を浮かせるコップ。
以上の構成によりなる衛星コップ。
【発明の効果】
【０００５】    従来、コップの飲み口部分を下にして平面に置かれているコップやグラスを、本発明により、飲み口部分を浮かせて衛生を保ち置くことができる。
【図面の簡単な説明】
【０００６】
【図１】  本発明の斜視図
【図２】  本発明の使用状態を示す斜視図
【図３】  本発明の使用状態を示す斜視図
【図４】  本発明の使用状態を示す斜視図
【発明を実施するための形態】
【０００７】    以下、本発明の実施の形態を説明する。
コップ又はグラス等の飲み物容器の飲み口部分周縁部に等間隔に複数の突起体を設ける。また、この突起体をでこぼことしたり、曲線にすることで、同様の効果が得られる。
また、突起体を脱着可能にすることでも効果が得られる。
【符号の説明】
【０００８】  １コップ、２突起体、３グラス
【図１】
2014213197.tif 000003
【図２】
2014213197.tif 000004
【図３】
2014213197.tif 000005
【図４】
2014213197.tif 000006
(57)【要約】      （修正有）【課題】磁性材を用いた熱機関における熱源物質の供給方法および熱機関を提供する。【解決手段】磁場中において磁性材に温度差を与え磁性材の磁化を変化させて、熱エネルギ−を力学的エネルギ−に変換する熱機関において、熱源物質を、動植物あるいはその他の造形物３，４、あるいは絵画等を介して供給する。【選択図】図１
2014213191.tif 000002
【特許請求の範囲】
【請求項１】
磁場中において磁性材に温度差を与え磁性材の磁化を変化させて、熱エネルギ−を力学的エネルギ−に変換することを特徴とした熱機関において、熱源物質を、動植物あるいはその他の造形物、あるいは絵画等を介して供給することを特徴とする熱源物質の供給方法。
【請求項２】
磁場中において磁性材に温度差を与え磁性材の磁化を変化させて、熱エネルギ−を力学的エネルギ−に変換することを特徴とした熱機関において、熱源物質を、動植物あるいはその他の造形物、あるいは絵画等を介して供給することを特徴とする熱機関。
【発明の詳細な説明】
【技術分野】
【０００１】  本発明は、磁性材を用いた熱機関における熱源物質の供給方法および熱機関に関するものである。
【背景技術】
【０００２】  従来、磁性材のキュリ−温度近傍における磁化の変位を利用して、熱エネルギ−を力学的エネルギ−に変換する方法や熱機関が考案されているが、難解な理論のみが先行し、工業向けであって遊戯性は無く、一般社会には普及してない。
【先行技術文献】
【特許文献】
【０００３】
【特許文献１】  特開平６−１４１５７１（磁性体熱機関）
【特許文献２】  特開平６−１４１５７２（磁性体エンジン）
【非特許文献】
【０００４】
【非特許文献１】  特願２０１２−２７０７５５（金属感温磁性材料の磁気特性を応用した熱機関）
【非特許文献２】  特願２０１２−８５８８０（熱磁気アクチュエ−タ−）
【非特許文献３】  特願２０１２−８５８８１（熱磁気アクチュエ−タ−）
【非特許文献４】  見城尚志著、（モ−タ−のＡＢＣ）、講談社出版、Ｐ１９６〜Ｐ１９９
【発明の概要】
【発明が解決しようとする課題】
【０００５】  本発明は、従来の課題を解決し、遊戯性を付加して一般社会に広く受け入れられる製品を提供する目的からなされたものである。
【課題を解決するための手段】
【０００６】  上記の課題を解決する本発明は、以下の通りである。
１、磁場中において磁性材に温度差を与え磁性材の磁化を変化させて、熱エネルギ−を力学的エネルギ−に変換することを特徴とした熱機関において、熱源物質を、動植物あるいはその他の造形物、あるいは絵画等を介して供給することを特徴とする熱源物質の供給方法。
２、磁場中において磁性材に温度差を与え磁性材の磁化を変化させて、熱エネルギ−を力学的エネルギ−に変換することを特徴とした熱機関において、熱源物質を、動植物あるいはその他の造形物、あるいは絵画等を介して供給することを特徴とする熱機関。
【発明の効果】
【０００７】  磁性材の磁気特性を応用した熱磁気モ−タ−や熱磁気アクチュエ−タ−等の熱機関が考案されているが、本発明はこれらに遊戯性を加えることによって、工業業界だけでなく遊具業界や観光業界等の幅広い産業分野で利用できる製品を提供できるものである。【０００８】  例えば、観光地においては、その地区の特産品や観光地の造形物または絵画や写真あるいはモニタ−画像を介して熱源物質を供給すると、多くの人が楽しめてエネルギ−資源としてだけではなく観光資源としても有意義なものとなる。【０００９】  例えば、造形物を「おしっこ小僧」や動植物にすると子供達が、はしゃぎまわり、楽しめるだけではなく、どうして動くのかという興味と疑問をもつはずであり、このことは科学技術の発展にとっても子供達の成長にとっても極めて重要なことである。【００１０】  現在、感温フェライトやＦｅ−Ｎｉ，Ｆｅ−Ｎｉ−Ｃｒ等の金属感温磁性材料が生産され、電磁調理器の電磁誘導加熱材料や温度スイッチ材料として限定的に使用されているが、今後はこれらの素材の利用が幅広い業界に拡大して産業の発展に貢献でき、更なる特性の優れた磁性材料の開発や応用が促進されるものと期待できる。
【図面の簡単な説明】
【００１１】
【図１】本発明の同心環状軌道熱機関の実施例の平面図である。
【図２】本発明の造形物の実施例である。
【発明を実施するための形態】
【００１２】  以下、本発明の実施の形態を図面に基づき詳細に説明する。
【００１３】  本実施例は、童話「雀のお宿」で有名な観光地の磯部温泉における観光資源を兼ねた熱機関を想定したものである。
【００１４】  冷却手段造形物３および加熱手段造形物４を雀の形をした造形物とし、熱源物質入口７より液体を導入して熱源物質出口８より排出し、熱機関の冷却手段および加熱手段として複数個を同心環状の円周上に並べた実施例であり、見た目にも楽しい熱機関である。
【００１５】  実施においては熱機関の動力で発電をしてライトアップしたり、音楽を流したりして観光資源としての効果を向上することもできる。
【００１６】  世界各地には数多くの特産品や観光地があるので、これらを題材にした楽しい工業製品や遊具や玩具を作ることができる。
【００１７】  実施における加熱物質がガスの場合、ドラゴンのような架空動物を用いてもよい。
【００１８】  実施においては、媒体としてモニタ−画像を動画としてもよいし、人物像や各種のキャラクタ−グッズを用いることもできる。
【００１９】  本発明は、磁性材の磁気特性を応用した熱機関に、遊戯性を加味したことを特徴としたもので、工業製品だけではなく遊具や玩具にも適応できるものであり、幅広い産業分野で利用できるものである。
【符号の説明】
【００２０】  １…軌道
２…磁石
３…冷却手段造形物
４…加熱手段造形物
５…回転方向
６…回転軸
７…熱源物質入口
８…熱源物質出口
【図１】
2014213191.tif 000003
【図２】
2014213191.tif 000004
(57)【要約】      （修正有）【課題】測量業者及び建設業者等の専用器具として測点の中心点を正確に視準するため用いられるミニピンポールの下部先端に取付られている石突の突先が消耗し精度が落ちた場合に、石突の突先を削り、尖った状態に修理して再使用可能とする石突ピン修理器具を提供する。【解決手段】電動鉛筆削り器具の機能を応用して、鉛筆削り刃に替て超鋼ダイヤモンドヤスリ２６を取付け、石突ピン挿入口２２から挿入した石突ピンを削り再使用する。【選択図】図２
2014213446.tif 000002
【特許請求の範囲】
【請求項１】
別紙図面よりモーター直結主軸歯車▲１１▼に副軸歯車▲１２▼を接続伝導させ、副軸歯車▲１７▼から斜軸歯車▲１８▼に伝導させる、斜軸歯車▲１８▼に固定した丸型円筒（超鋼ダイヤモンドヤスリ）▲２６▼を回転させる構造で、修理を必要な消耗した石突ピンを丸い穴▲２２▼に挿入し、石突ピンを削る構造一式を考案し特許申請する。
【請求項２】
尚、各種石突ピン迄修理出来るように最小太さ（φ４ｍｍ〜φ６ｍｍ）迄の石突ピンには、当修理器具の挿入口の太さに合わせた、各補助ケースを取付て修理する、及び標準サイスには補助ケースなし等、種類やサイズに応じた修理ができるよう考案した。
【発明の詳細な説明】
【技術分野】
【０００１】▲１▼この発明は既存、電動鉛筆削り器、を応用したものでモーター直結主軸歯車▲１１▼と副軸歯車▲１２▼を組合わせ動力を伝導させる構造で、旧鉛筆削り刃を取り止め、超鋼ダイヤモンドヤスリ▲２６▼に取り替えて回転させ、消耗した石突ピンを修理する構造です。
▲２▼石突ピン挿入口穴の内側壁面に、入口より奥へ５ｍｍ入った位置に、モーター始動スイッチを設け、石突ピンを挿入すると始動弁が押されモーターが始動し、同時にヤスリが回転し石突ピンが修理されます。
【背景技術】
【０００２】現在の電動鉛筆削り器具の応用で、削り刃に替て新考案した（超鋼ダイヤモンドヤスリ）を取付けて、消耗し不良品になった石突ピンを修理し何回も再利用できる。
【発明の開示】
【発明が解決しようとする課題】
【０００３】現在は次のような欠点がある。
▲１▼現在の石突ミニポールピンは突先が丸く太くなった場合捨ており、大切な資源を無駄にしております。
▲２▼石突ピンポールの突先が消耗し丸くなると、測点の中心を視準できず測量の精度が落ちる原因となります。
【課題を解決するための手段】
【０００４】▲１▼電動鉛筆削り刃を（超鋼ダイヤモンドヤスリ）に取り替えて、消耗し不良品になった石突ミニピンポールの突先を当ヤスリで削り再利用することで、大切な資源を守ることができる。
▲２▼修理が必要な石突ミニピンポールは、各種あり（φ４ｍｍ、６ｍｍ、９ｍｍ）迄ありますので、石突ピン等の挿入口に補助ケース▲２８▼、▲２９▼、を種類ごとに挿入し、各々の太さに対応できるよう考案した。
【発明の効果】
【０００５】現在は石突ミニピンポール等の突先が丸く太くなった場合下記のように処理しています。
▲１▼石突ミニピンポールと一体の石突ピンポールは不良品として全部捨ている。
▲２▼ミニピンポールと下部の石突が切り離しできる、ピンポールは、石突ピンだけ捨ております。
▲３▼当発明により、石突ヒン及び石突ミニピンポール共に各種石突部分すべてが再利用できるため、資源を大切にできます。
【発明を実施するための最良の形態】
【０００６】▲１▼測量業者及び建設業者等の測量作業において、ミニポールやピンポール等を測点の中心点に正確に設置出来れば、測量精度の向上に寄与できる。
▲２▼測量器具の石突ピン等に無駄なく、作業も円滑に進み事務所以外で、何時何処でも修理し再利用が可能になります。
【図面の簡単な説明】
【０００７】図面は第１図、第２図、第３図、の各平面構造図。
【図１】バッテリーとモーター接続平面図。
【図２】主軸、副軸、斜軸、への接続伝導平面図
【図３】及び石突ピン、と補助ケース平面図。
【符号の説明】
【０００８】▲１▼一般用電源差込ソケット
▲２▼充電用ソケットベン挿入口
▲３▼充電式バッテリー
▲４▼モーター用差込ベン
▲５▼バッテリーケース
▲６▼モーター軸ベアリング
▲７▼モーター直結主軸
▲８▼動力源モーター
▲９▼電極炭素棒
▲１０▼電極板
▲１１▼モーター直結伝導斜歯車
▲１２▼副軸伝導斜歯車
▲１３▼本体ケース固定ネジ
▲１４▼副軸斜歯車固定用プレート
▲１５▼伝導斜歯車固定用ネジ
▲１６▼副軸補強板
▲１７▼副軸伝導歯車
▲１８▼斜軸伝導歯車
▲１９▼斜軸
▲２０▼斜軸支え
▲２１▼斜軸固定ベアリング
▲２２▼石突ピン挿入口
▲２３▼石突ピン固定ロック穴突起
▲２４▼脱着式自動電源スイッチ
▲２５▼斜軸の遠心力補助金属重り
▲２６▼斜軸固定超鋼ダイヤモンドヤスリ
▲２７▼石突ピン（ミニポールの下部に取付用）
▲２８▼超ミニポール削り用補助ケース
▲２９▼φ６ｍｍミニポール削り用補助ケース
【図１】
2014213446.tif 000003
【図２】
2014213446.tif 000004
【図３】
2014213446.tif 000005
(57)【要約】【課題】塩水に水酸化マグネシウムや水酸化カルシウム飽和水溶液を入れると溶質が析出して塩水が白濁し、長時間ｐＨが安定せず、亜硝酸濃度も不安定となる。そこで、塩水を入れた容器内の亜硝酸を、水を濁らすことなく短時間で安定して減少させる手段が求められている。【解決手段】容器内塩水濃度付近の濃度の温塩水に水酸化カルシウムを溶解させ、常温まで冷却して得られた飽和水溶液を容器内に注ぐことで溶質の析出を防止することができ、容器内の塩水の白濁を防止することができるとともに、安定したｐＨ及び亜硝酸イオン濃度が得られる。【選択図】図１
2014213319.tif 000002
【特許請求の範囲】
【請求項１】
容器又は水槽内の亜硝酸を含む人工海水、海水または汽水（以下、「塩水」という。）中に、水酸化マグネシウムまたは水酸化カルシウム（以下、「塩基性物質」という。）を投入する水質改善法において、常温の該塩水とほぼ同塩分濃度の水溶液に、該塩基性物質をほぼ飽和状態になるまで溶解させてなることを特徴とした水質改善水溶液。
【発明の詳細な説明】
【技術分野】
【０００１】  水処理の技術分野。
【背景技術】
【０００２】  魚の排泄物から生成される亜硝酸イオンは、赤血球のヘモグロビンを酸化してガス交換能のないメトヘモグロビンに変性させてしまうため、多量に発生すると容器内の活魚が呼吸困難となって死滅する。そこで、細菌を棲まわした生物濾過により亜硝酸イオンを低減させる方法が一般的であった。また、特許文献１の如くカルシウムやマグネシウムの酸化物や水酸化物を水に難溶性のバインダーや溶解速度の遅い物質からなるバインダーでバインドして水中に浸漬する方法が開示されている。
【先行技術文献】
【特許文献】
【０００３】
【特許文献１】  特開２００８−２３８１３１号  公報
【発明の概要】
【発明が解決しようとする課題】
【０００４】  特許文献１では、カルシウムやマグネシウムの酸化物や水酸化物は水に難溶で、しかもバインダーも溶解速度が遅いものであるため、水質改善に時間が掛かるため即効性がない。また、即効性を高めるため飽和水溶液を用いる場合、溶質難溶であるため、塩水に加えると、溶質が析出して塩水が白濁する。未溶解の溶質が水中に比較的長時間浮遊するため未溶解分がほぼ溶解するまでの間、ｐＨ及び亜硝酸濃度も不安定であるため、どれだけ水質改善液を投入すれば良いのかがわかりにくいため、少量ずつ入れて長時間掛けてｐＨや亜硝酸濃度が安定するまで待って計測しながら中和させなければならない。そこで、即効性があり、尚かつ短時間でｐＨや亜硝酸濃度が安定する水質改善液が求められる。
【課題を解決するための手段】
【０００５】  解決の手段は、容器又は水槽内の亜硝酸を含む人工海水、海水または汽水（以下、「塩水」という。）中に、水酸化マグネシウムまたは水酸化カルシウム（以下、「塩基性物質」という。）を投入する水質改善法において、常温の該塩水とほぼ同塩分濃度の水溶液に、該塩基性物質をほぼ飽和状態になるまで溶解させてなることを特徴とする水質改善水溶液。【０００６】  該塩基性物質は亜硝酸と中和して亜硝酸塩を生じるが、亜硝酸マグネシウム及び亜硝酸カルシウムは水に難溶であるため、これらを、亜硝酸を含む塩水中に投入すると塩水中の亜硝酸イオンが減少する。【０００７】  該塩基性物質を常温の該塩水とほぼ同塩分濃度の水溶液に、ほぼ飽和状態になるまで溶解させてなることで、該塩水に投入しても未溶解の溶質が析出することはなくなる。
【発明の効果】
【０００８】  該塩基性物質を該塩水とほぼ同塩分濃度の水溶液に、ほぼ飽和状態になるまで溶解させてなることで、該塩水に投入しても未溶解の溶質が析出することがなくなるため、撹拌するだけでｐＨや亜硝酸濃度が短時間に安定するため、適量の該水質改善水溶液を短時間で投入することが可能となる。
【図面の簡単な説明】
【０００９】
【図１】  本発明を説明する説明図
【発明を実施するための形態】
【００１０】  亜硝酸イオンは、ヘモグロビンを酸化させ、ガス交換能のないメトヘモグロビンに変性させるために活魚に致死的な損傷を与える。そのため、亜硝酸が１．６ｍｇ／リットル以上発生している場合、急いで水質改善する必要がある。亜硝酸が発生した水では、亜硝酸のためにｐＨが低下し、水中の炭酸濃度に比較して二酸化炭素濃度の割合が上昇して、ヘモグロビンのガス交換能が更に低下し、活魚への損傷を更に加速させる。特許文献１の水質改善法では予防的措置としては効果が高いが、既に亜硝酸が危険レベルまで発生している場合には、即効性に課題がある。そこで、本発明では、即効性を高めるため水酸化マグネシウムまたは水酸化カルシウムの飽和水溶液を用いる。この時、溶質は難溶であるため、塩水に加えると、溶質が析出して塩水が白濁し、未溶解の溶質が水中に比較的長時間浮遊するため末溶解分がほぼ溶解するまでの間、ｐＨ及び亜硝酸濃度も不安定であるため、どれだけ水質改善のための液を投入すれば良いのかがわかりにくいため、少量ずつ入れて長時間掛けてｐＨや亜硝酸濃度が安定するまで待って計測しながら中和させなければならないという課題があった。
【００１１】  図１は、具体的な水質改善手順の一例を示す。１〜８は水質改善手順である。水酸化カルシウムの２５℃の純水１００ｃｍ３のへの溶解度は１７０ｍｇ、水酸化マグネシウムは同１．２ｍｇであるため、水質改善水溶液は塩水でも比較的溶けやすい水酸化カルシウムが好ましい。水質改善水溶液には食塩を加え、その濃度は、海水と同程度の塩分濃度の食塩で４℃の溶液１リットル中に食塩３４ｇ（３４パーミル）が好ましい。更に食塩水を加温して４０℃付近まで加温する。温度は、高すぎると冷却後の沈殿量が多くなり、低いと溶解速度が遅くなるため４０℃付近が好ましい。加温した塩水に水酸化カルシウムを加えて飽和させ、更に冷却して、沈殿させ、上澄みを取る。液温度は、冬期の室温でも析出させないため、２０℃付近が好ましい。更に、ｐＨは二酸化炭素の溶存量を低減させるために８付近が好ましい。８．５を越えて塩基性を更に強くすることは活魚にとって返って血液のｐＨバランスを崩すため有害である。また、水槽内塩水のｐＨ調製は本水質改善水溶液で行う。カルシウムやマグネシウムの酸化物及び水酸化物以外の薬剤では行うことは、水質改善時にｐＨが上昇しすぎる危険性があるため、好ましくない。
【００１２】  水酸化カルシウムを溶かす溶媒を水槽内塩水と同塩分濃度かそれ以上の濃度にすることで、飽和状態の水質改善水溶液を水槽内塩水に投入しても未溶解の溶質が析出することがなくなるため、撹拌するだけでｐＨや亜硝酸濃度が短時間に安定するため、適量の該水質改善水溶液を短時間で投入することが可能となる。
【符号の説明】
【００１３】１〜８  水質改善手順
【図１】
2014213319.tif 000003
(57)【要約】【課題】文字盤のデザインを変更するためには、文字盤そのものを交換しなければならないため、交換せずにデザインが変更可能な文字盤を提供する。【解決手段】文字盤を交換せずにデザインを変更するために、文字盤にホワイトボードのような書き換え可能な素材を利用する。【選択図】図２
2014174023.tif 000002
【特許請求の範囲】
【請求項１】
文字盤のデザインを変更するために文字盤そのものを交換せずに、デザインをマーカーや絵の具等で書き換えができる、ホワイトボードのような機能を有することを特徴とする文字盤。
【発明の詳細な説明】
【技術分野】
【０００１】
本発明は、書き換え可能なアナログ時計の文字盤である。
【背景技術】
【０００２】
アナログ時計の文字盤は時刻を示すために必要なものであり、文字盤は様々なデザインを施すことが可能である。しかし、デザインを変更することは考慮されておらず、変更するためには文字盤そのものを交換しなければならない。
【発明の概要】
【発明が解決しようとする課題】
【０００３】
解決しようとする問題点は、文字盤のデザインを変更するためには、文字盤そのものを交換しなければならない点である。
【課題を解決するための手段】
【０００４】
本発明は、文字盤を交換せずにデザインを変更するために、文字盤にホワイトボードのような書き換え可能な素材を利用し、書き換え可能な機能を有することを特徴とする。図１、図２、図３は書き込む前の文字盤を示したものであり、図４、図５、図６は文字盤に書き込んだ使用例である。
【発明の効果】
【０００５】
本発明の文字盤は、ホワイトボードのような書き換え可能な機能を備えており、デザインをマーカーや絵の具等で書き換え可能になり、いつでも文字盤のデザインを変更できるという利点がある。
【図面の簡単な説明】
【０００６】
【図１】図１は書き込む前の文字盤である。（実施例１）
【図２】図２は書き込む前の文字盤である。（実施例２）
【図３】図３は書き込む前の文字盤である。（実施例３）
【図４】図４は使用例である。（実施例１）
【図５】図５は使用例である。（実施例２）
【図６】図６は使用例である。（実施例３）
【発明を実施するための形態】
【０００７】
ホワイトボードのような書き換え可能な素材を文字盤に利用し、文字盤のデザインを変更できるようにした。
【実施例１】
【０００８】
図１は、本発明の１実施例であり、図４は実際に使用した例である。
【実施例２】
【０００９】
図２は、本発明の１実施例であり、図５は実際に使用した例である。
【実施例３】
【００１０】
図３は、本発明の１実施例であり、図６は実際に使用した例である。
【図１】
2014174023.tif 000003
【図２】
2014174023.tif 000004
【図３】
2014174023.tif 000005
【図４】
2014174023.tif 000006
【図５】
2014174023.tif 000007
【図６】
2014174023.tif 000008